(57)【要約】少なくとも１つの引き出し（１３）等を含む家具（１０）は、引き出し（１３）に対して横断方向に配置されるとともにそれぞれ引き出し（１３）に対して第１および第２の引き出しガイド（１４，１５）を備える第１および第２の壁部（１１，１２）と、引き出し（１３）を開放方向に押し出すように適合および構成される取り出し手段（１６；４２）とを備える。取り出し手段（１６；４２）は、引き出しの閉鎖位置において解放可能なロック手段（２１，２２；４４，４６）によってロック可能である。対応するロック手段（２１，２２；４４，４６）を備えた取り出し手段（１６；４２）は、引き出し（１３）に対して横断方向に配置される、家具（１０）の壁部（１１，１２）のうちの一方（１１）にのみ設けられる。
2015527126.tif 000002
【特許請求の範囲】
【請求項１】
家具（１０）の本体から引き出し可能な少なくとも１つの引き出し（１３）を含む家具であって、同家具（１０）は、
前記引き出し（１３）に対して横断方向に配置されるとともにそれぞれ前記引き出し（１３）に対して第１および第２の引き出しガイド（１４，１５）を備える第１および第２の壁部（１１，１２）と、
前記引き出し（１３）を開放方向に押し出すように適合および構成される取り出し手段（１６；４２）と、
前記引き出し（１３）の閉鎖位置において前記取り出し手段（１６；４２）をロックするための解放可能なロック手段（２１，２２；４４，４６）と、を備え、
対応する前記ロック手段（２１，２２；４４，４６）を備えた前記取り出し手段（１６；４２）は、前記引き出し（１３）に対して横断方向に配置される前記家具（１０）の前記壁部（１１，１２）のうちの一方（１１）にのみ設けられることを特徴とする家具（１０）。
【請求項２】
前記引き出し（１３）に対して横断方向に配置される前記家具（１０）の両壁部（１１，１２）のうちの他方（１２）には保持手段（１７；３４）が設けられ、該保持手段（１７；３４）は、前記引き出し（１３）を前記閉鎖位置に保持するように適合および構成されることを特徴とする請求項１に記載の家具（１０）。
【請求項３】
前記対応するロック手段（２１，２２；４４，４６）を備えた前記取り出し手段（１６；４２）は、同手段（１６）が配置される前記家具（１０）の前記壁部（１１）に設けられる引き出しガイド（１４）に適用されることを特徴とする請求項１または２に記載の家具（１０）。
【請求項４】
前記対応するロック手段（２１，２２；４４，４６）を備えた前記取り出し手段（１６；４２）は、前記家具（１０）の前記壁部（１１）に、あるいは前記引き出し（１３）の第１の側壁部に直接適用されることを特徴とする請求項１または２に記載の家具（１０）。
【請求項５】
前記保持手段（１７；３４）は、前記引き出し（１３）に対して横断方向に配置される前記家具（１０）の前記他方の壁部（１２）に設けられる引き出しガイド（１５）に適用されることを特徴とする請求項２乃至４のうちのいずれか一項に記載の家具（１０）。
【請求項６】
前記保持手段（１７；３４）は、前記引き出し（１３）に対して横断方向に配置される前記家具（１０）の前記他方の壁部（１２）に、あるいは前記引き出し（１３）の第２の側壁部に直接適用されることを特徴とする請求項１乃至４のうちのいずれか一項に記載の家具（１０）。
【請求項７】
前記保持手段（１７；３４）は、前記取り出し手段（１６）が発揮する開放方向における前記押し出しの力より小さい前記閉鎖方向の保持作用を生ずるように構成されることを特徴とする請求項２乃至６のうちのいずれか一項に記載の家具（１０）。
【請求項８】
前記保持手段（１７；３４）は、前記取り出し手段（１６；４２）が作動するストロークより短いストロークのために前記保持作用を生ずるように構成されることを特徴とする請求項７に記載の家具（１０）。
【請求項９】
前記取り出し手段（１６；４２）の前記ロック手段（２１，２２；４４，４６）は、前記引き出し（１３）を前記閉鎖方向に押し出すことによって解放可能であることを特徴とする請求項１乃至８のうちのいずれか一項に記載の家具（１０）。
【請求項１０】
前記取り出し手段（１６）は、基部本体（１９）に沿って直線的に移動可能なスライダ（１８）と、同スライダ（１８）によって負荷をかけることが可能な少なくとも１つの押し出しばね（２０）と、を備えることを特徴とする請求項１乃至９のうちのいずれか一項に記載の家具（１０）。
【請求項１１】
前記ロック手段（２１，２２）は、前記取り出し手段（１６）の前記スライダ（１８）によって移動可能に支持されるフック部材（２１）を備え、同フック部材（２１）は、前記取り出し手段（１６）の基部本体（１９）に設けられるハート形の通路（２２）において係合可能であることを特徴とする請求項１０に記載の家具（１０）。
【請求項１２】
前記保持手段（１７）は、前記引き出し（１３）の前記閉鎖方向に作用する張引ばね（２４）によって付勢される傾斜可能なスライダ（２３）を備え、同スライダ（２３）は、前記引き出し（１３）の前記閉鎖位置において前記引き出し（１３）に作動的に連結可能であることを特徴とする請求項２乃至１１のうちのいずれか一項に記載の家具（１０）。
【請求項１３】
前記保持手段（３４）は、磁気保持手段（３５，３６）を備えることを特徴とする請求項２乃至１１のうちのいずれか一項に記載の家具（１０）。
【請求項１４】
前記磁気手段（３５）は、前記引き出し（１３）の開放方向に弾性的に湾曲可能に支持されることを特徴とする請求項１３に記載の家具（１０）。
【請求項１５】
前記引き出し（１３）用の距離保持止め具（３２）をさらに備え、同止め具（３２）は、前記引き出し（１３）の前記閉鎖位置によって前記家具の本体から予め設定された距離だけ前記引き出し（１３）を保持するように、前記保持手段（１７）の側に適合され配置されることを特徴とする請求項１２乃至１４のうちのいずれか一項に記載の家具（１０）。
【請求項１６】
前記取り出し手段（４２）は、前記解放可能なロック手段をさらに形成する前記引き出し用の閉鎖手段（４４，４６）に作動的に関連付けられ、前記取り出し手段（４２）および前記閉鎖手段（４４，４６）は、前記引き出し（１３）の前記閉鎖位置から開始する前記開放方向の押し出し、および前記引き出し（１３）を閉鎖する移動の最後の張引時に閉鎖方向の押し出しをそれぞれ生じさせるように選択的に負荷をかけることができるとともに活性化可能であることを特徴とする請求項１乃至９および請求項１２乃至１５のうちのいずれか一項に記載の家具（１０）。
【請求項１７】
回転および摺動のうちの少なくともいずれか一方が可能な少なくとも１つの載置要素（５４）が設けられ、同載置要素（５４）は前記引き出し（１３）の後方側面領域に固定可能であり、該載置要素（５４）は前記取り出し手段（１６；４２）が配置される前記家具の前記側壁部（１１）の面との接触を保持するように適合され構成される載置面を有することを特徴とする請求項１乃至１６のうちのいずれか一項に記載の家具（１０）。
【発明の詳細な説明】
【技術分野】
【０００１】
本発明は、引き出し用の取り出し手段が設けられる少なくとも１つの引き出し等を有する１つの家具に関する。
【背景技術】
【０００２】
家具の分野において、取っ手、あるいは同様の把持手段のない引き出しを有する家具が通常使用されるが、そのような場合には、家具は引き出しを開放するための好適なロック可能な取り出し手段を備える。使用する者の側の閉鎖された引き出しを僅かに押し出すことにより、取り出し手段は解放され、また、使用する者が引き出しを把持するとともに完全に開放するために十分に、引き出しが第１のセクションによって開放方向に移動される。
【０００３】
そのような取り出し手段は、従来家具の各壁部に配置され、引き出しの各側部に配置される。しかし、このような構成では、引き出しを開放するための取り出しシステムの最適な操作は、制限された幅の引き出しの場合にのみ達成される。非常に幅広な引き出しの場合には、使用する者は、これに代えて、引き出しの前部の中央の領域を押す必要がある。
【０００４】
実際、使用する者が引き出しの前部の側面領域を押す場合には、同じ側に配置される取り出し手段のみが開放され、反対側の開放手段はロックされたままで、引き出しの開放に失敗し、誤配置する恐れがあり、さもなくば取り出し手段を実際に破損する恐れがある。
【０００５】
この課題を克服するために、同期する装置の応用が様々な方法で提案されている。これらの装置のうちのいくつかは、引き出しの両側で平行に移動できるように、対応するラックに係合するギアをその両側に有する連結バーを備え、これにより、引き出しの両側に配置される取り出し手段間の同期が可能となる。
【０００６】
このような解決策は、構造の意味において複雑となり、取り付けが困難であり、また、そのような同期装置無しでは引き出しの取り出し手段および／または引き出しガイドに対して実質的な変更を要するものであり、結果としてコストが増大する。少なくとも１つの引き出し等を有する家具において、上述した課題を克服するような方法で構成される引き出し手段を有することが要求され、また、構造に関してハイレベルな単純化を保持し、コストを低減することが要求される。
【発明の概要】
【発明が解決しようとする課題】
【０００７】
したがって、本発明の課題は、少なくとも１つの引き出し等を備えた１つの家具であって、引き出しの部分的または不完全な開放を防止するように構成される単純な構造の経済的且つ容易に取り付け可能な取り出し手段が設けられる家具を提供することにある。
【課題を解決するための手段】
【０００８】
上記課題は、１つの家具の本体から引き出し可能な少なくとも１つの引き出し等を含む家具であって、引き出しに対して横断方向に配置されるとともにそれぞれ引き出しに対して第１および第２の引き出しガイドを備える第１および第２の壁部と、引き出しを開放方向に押し出すように適合および構成される取り出し手段とを備える家具によって解決される。取り出し手段は、引き出しの閉鎖位置において解放可能なロック手段にロックされる。対応するロック手段を備えた取り出し手段は、引き出しに対して横断方向に配置される両壁部のうちの一方にのみ設けられる。
【０００９】
好ましくは、保持手段が引き出しに対して横断方向に配置される両壁部のうちの他方に設けられ、この保持手段は、引き出しを閉鎖位置に保持するように適合および構成される。
【００１０】
本発明のさらなる特徴は、後述する特許請求の範囲に開示される。
【図面の簡単な説明】
【００１１】
【図１】本発明の第１の実施形態による引き出しを備えた家具を示す平面図。
【図２】引き出しの閉鎖位置における図１に示す第１の実施形態の取り出し手段および保持手段を示す平面図。
【図３】カバーが取り払われた図２に示す取り出し手段を示す部分拡大図。
【図４】取り出し手段を開放するために引き出しの押し出し位置にある図１に示す取り出し手段および保持手段を示す平面図。
【図５】カバーが取り払われた図４に示す取り出し手段を示す部分拡大図。
【図６】開放された取り出し手段が第１のセクションによって引き出しを開放する図１に示す取り出し手段および保持手段を示す平面図。
【図７】本発明による第２の実施形態における保持手段を示す図。
【図８】引き出し用の閉鎖手段がさらに設けられた本発明の別例による取り出し手段を示す図。
【発明を実施するための形態】
【００１２】
本発明の特徴および効果は、添付の図面を参照して、引き出し等を有する家具の好適であるが排他的なものではない後述する実施形態からより明らかに示されるであろう。
図１に本発明の第１の実施形態による引き出し等を備えた１つの家具１０の全体を示す。家具は、引き出し１３に対して横断方向に配置されるとともにそれぞれ引き出し１３に対して第１の引き出しガイド１４および第２の引き出しガイド１５を備える第１の壁部１１および第２の壁部１２を備える本体を有する。より明瞭に示すべく、引き出し１３は、ガイド並びに取り出し装置および保持装置を視認できるように破線で透明に図示される。
【００１３】
引き出し１３は引き出し１３を開放するための取っ手や同様の把持手段を備えず、家具は引き出し１３を開放方向に僅かに押し出すように適合され構成される取り出し手段１６をさらに備える。後述するように、取り出し手段１６は、閉鎖方向に引き出しを押すことにより解放可能なロック手段によって、引き出し１３の閉鎖位置にロック可能である。
【００１４】
本発明によれば、対応するロック手段を備えた取り出し手段１６は、引き出しに対して横断方向に配置される、家具１０の両壁部１１および１２のうちの一方の壁部１１にのみ設けられる。引き出し１３に対して横断方向に配置される両壁部１１および１２のうちの他方の壁部１２には、引き出しを閉鎖位置に保持するとともに引き出しの開放方向に適切な力により解放可能な保持手段１７が好適に設けられる。図示の好ましい実施形態において、対応するロック手段を備えた取り出し手段１６は、手段１６が配置される家具の壁部１１に取り付けられる引き出しガイド１４に、特にその固定部に適用される。
【００１５】
これに代えて、対応するロック手段を備えた取り出し手段１６は、家具の壁部１１に、あるいは引き出し１３の第１の側壁部に直接適用されてもよい。
図示の同様な好適な実施形態によれば、保持手段１７は、引き出し１３に対して横断方向に配置される他方の壁部１２に設けられる引き出しガイド１５に、特にその固定部に適用される。これに代えて、保持手段１７は、引き出し１３に対して横断方向に配置される、家具の他方の壁部に、あるいは引き出し１３の第２の側壁部に直接適用されてもよい。
【００１６】
引き出し１３を能率よく開放するために、保持手段１７が、取り出し手段１６による開放方向の押し出し力より低い閉鎖方向の保持力を発揮するように構成される。
好適に、保持手段１７は、取り出し手段１６が作動するストロークより短い摺動ストロークを引き出しの開放方向に作動させる上述した保持作用を生ずるように構成される。このように、引き出しを開放するために取り出し手段１６によって発揮される必要のある押し出し力の大きさを制限することができ、これにより、家具の一方の側にのみ作動する取り出し手段１６の存在による第１の開放ストローク時に生じ得る引き出し１３の誤配置をさらに制限することができる。
【００１７】
図１乃至６に示す好適な実施形態において、取り出し手段１６は、基部本体１９に沿って直線的に移動可能なスライダ１８と、スライダ１８の移動により負荷をかけられるように一端がスライダ１８に連結され他端が基部本体１９に連結される少なくとも１つの押し出しばね２０を備える。
【００１８】
ロック手段は、これに代えて、例えば一端がスライダ１８によって移動可能に、特に揺動可能に支持され他端が取り出し手段１６の基部本体１９に設けられるハート型の通路２２と係合する、所定の形状に形成されるワイヤフックの形態の引掛け部材２１を好適に備える。
【００１９】
図１乃至６に示すように、保持手段１７は、引き出し１３の閉鎖方向に作動する張引ばね２４によって付勢され、摺動軌跡２９を長手方向に揺動および摺動するスライダ２３を好適に備え、そのスライダ２４は、引き出し１３の閉鎖位置において引き出し１３に作動的に連結可能である。
【００２０】
図２乃至６を参照して、引き出し用の取り出し手段１６および保持手段１７から構成されるシステムを備えた家具の作動を後述する。
より具体的には、図２および図３は、引き出し１３の閉鎖状態を示し、引き出し１３の前部１３’は前記家具の両側壁部１１および１２から予め設定された距離、例えば約３ｍｍ離間するように配置され、この状態において、取り出し手段のスライダ１８は、家具の後方壁部２５に向かう退避位置にある。押し出しばね２０は、張力が付与され、ハート型通路２２に沿って設けられるアンカー座部２２’に係合するロックフック２１によってこの位置に保持される。
【００２１】
この位置において、取り出し手段のスライダ１８は、例えば引き出しに固定される引き出しガイド１４の図示しない部分に堅固に拘束されるとともにスライダ１８の可撓性を備えたタブ２７に係合可能な第１の駆動ピン２６によって引き出し１３に作動的に連結される。タブ２７は、基部本体１９の側壁部２８の作用により係合の屈曲した位置に保持される。
【００２２】
保持手段１７に関して、引き出し１３の閉鎖した状態において、傾斜可能なスライダ２３は、保持手段１７の本体３０に収容されるスライダ２３用の摺動軌跡２９の長手方向セクションに沿って退避位置に配置され、また、引き出しの前部１３’を所望の閉鎖位置に保持するように張引ばね２４によって引き出し１３の閉鎖方向に付勢される。
【００２３】
この位置において、後述するように、傾斜可能なスライダ２３は、例えば引き出しの対応する側に固定される引き出しガイド１５の図示しない部分に堅固に拘束されるとともにその揺動によってスライダ２３の適切な側面座部に係合可能な第２の駆動ピン３１によって引き出し１３に作動的に連結される。
【００２４】
これに代えて、上述した駆動ピンは、引き出しに堅固に拘束されてもよく、あるいは取り出し手段および保持手段が引き出し１３の側壁部に固定される場合に、駆動ピンは、引き出し１３に対して横断方向に配置される、家具の両壁部１１および１２に固定されるか堅固に拘束されてもよい。
【００２５】
引き出しの閉鎖位置によって引き出し１３の前部１３’を、家具の本体から平行に、且つ本体から一様な距離に保持するために、特に家具の両側壁部１１および１２に対して、保持手段１７の側に配置される距離保持止め具が好適に設けられる。図１乃至６に示す保持手段１７の場合において、距離保持止め具は、保持手段１７の本体３０に設けられる突起または突出部３２によって構成され、図４により明瞭に示すように、これに対し傾斜可能なスライダ２３がその退避位置にロックされる。
【００２６】
いずれの場合においても、距離保持止め具について別例が排除されるものではなく、例えば距離保持止め具は、保持手段１７が配置される側に突出するように家具の本体に取り付けられるとともに引き出しの前部１３’と接触するように構成される個別の要素の形態にて構成される。
【００２７】
再び、家具の作動に関して、上述した閉鎖位置に配置される引き出しを開放するために、使用する者は、引き出し１３の前部１３’を押し、これにより、図４および図５に示すように、取り出し手段１６のスライダ１８を退避させ、ハート型通路２２に沿って設けられるアンカー座部２２’からロックフック２１を外す必要がある。
【００２８】
取り出し手段１６が家具の一方の側にのみ配置される場合、使用する者が引き出しの前部を押すことは、スライダ１８を要求に応じて退避させるために効果的であるとともに十分である。これにより、保持手段１７を僅かに超えた位置に、より好ましくは前部１３’のより中心線寄りに偏倚した位置に、さらにより好ましくは取り出し手段１６が設けられる側に向かって押されると、ロックフック２１が外される。
【００２９】
これに代えて、保持手段１７が設けられる側が正確に押されると、引き出しの反対側に配置される取り出し手段１６は、活性化されない。しかしながら、この場合、引き出し１３は閉鎖された状態を保持され、その一方の側のみの不完全な部分的な移動は防止されるであろう。したがって本発明による家具において、引き出しの前部１３が押される位置に基づき、引き出し１３の適切な開放がなされ、あるいは引き出しは閉鎖した状態が保持され、これにより誤作動が防止されるであろう。
【００３０】
取り出し手段は家具の一方の側にのみ配置されるが、取り出し手段の解放は、反対側に配置される保持手段の作動を克服するために十分であり、これにより、破損の課題や危険性無く引き出しを開放することができる。
【００３１】
フック２１のロック作用からスライダ１８が解放されると、図６に示すように、張力を付与されるばね２０が押し出し力を開放方向に解放し発揮する。これにより、スライダ１８は、スライダ１８が堅固に拘束される引き出し１３と、駆動ピン２６とともに、僅かなストロークにおいて、前方に、例えば約５ｍｍ移動する。この移動は、可撓性を備えたタブ２７が、基部本体１９の側壁部２８を通過し、駆動ピン２６を解放するように開放され、これにより、使用する者が引き出し１３を完全に手動により開放するまで行われる。
【００３２】
一方、取り出し手段１６のスライダ１８によって生じる引き出し１３の開放運動の少なくとも第１の部分は、保持手段１７の傾斜可能なスライダ２３に伝達され、これにより、スライダ２３は、湾曲セクション２９’に至るまで摺動軌跡２９に沿って前進し、張引ばね２４に負荷をかける。スライダ２３は、第２の駆動ピン３１を解放可能に揺動し、引き出し１３が再び閉じられるまでスライダはばね２４の作動によってこの回転した位置にロックされた状態を保持する。
【００３３】
実際、引き出し１３を再び閉鎖するために、使用する者は、閉鎖方向に引き出し１３を押す必要があり、押すことにより第１の駆動ピン２６を移動させることによって、ハート型通路に沿って設けられるアンカー座部２２’にロックフック２１が再び係合するまでスライダ１８が退避され取り出し手段１６の開放ばね２０に張力が付与される。一方、第２の駆動ピン３１の退避する移動により、保持手段１７のスライダ２３は、摺動軌跡２９の湾曲セクション２９’から解放可能に揺動し、ばね２４の張引作用下で引き出し１３の退避した保持位置に戻る。
【００３４】
上述した好適な保持手段に代えて、図７の概略図に示すような磁気保持手段３４を使用してもよい。磁気保持手段３４は、家具の側壁部１２または側壁部１２に堅固に拘束された引き出しガイド１５に固定される少なくとも１つの磁気保持要素３５と、引き出し１３の前部１３’に固定される第２の保持要素３６を含む。第２の要素３６は、これに代えて、磁気要素３５と係合または解放可能な第２の磁気要素または強磁性要素であってもよい。
【００３５】
いずれの場合においても、家具の本体および引き出しの前部における保持要素３５および保持要素３６の逆にした配置が排除されるものではない。
例えば引き出しの再度の閉鎖の最後における引き出しの前部１３’の反発による保持要素３５および保持要素３６の望ましくない外れを防止するために、保持要素３５および保持要素３６のうちの少なくとも一方は、引き出し１３の開放方向に弾性的に湾曲するように好適に支持される。
【００３６】
この目的のために、図７に示すように、保持要素３５は、本体２７に摺動可能に支持され、また、保持要素３５を本体３７の後壁部３７’と連結する張引ばね３８が設けられる。張引ばね３８は、本体３７に設けられる止め具３７”に対して保持要素３５を付勢するように予め負荷をかけられ、これにより、いずれの場合においてもばね３８の弾性力下にて保持要素３５は開放方向に摺動する。
【００３７】
本発明の付加的な実施形態によって、取り出し手段は、取り出し手段に対する解放可能なロック手段をさらに形成する引き出し用の閉鎖手段に作動的に関連付けられ、取り出し手段および閉鎖手段は、引き出しの閉鎖位置から開始する開放方向の押し出し、および引き出しを閉鎖する移動の最後の張引時に閉鎖方向の押し出しをそれぞれ生じさせるように選択的に負荷をかけることができるとともに活性化可能である。
【００３８】
例示として、図８にこのタイプの公知の解決策を示す。この解決策は、流体を備えるとともに引き出し用の引き出しガイド１４の固定部１４’に適用される減速シリンダ４０の形態の連結型取り出しおよび減速装置３９を含む。引き出しガイド１４の固定部１４’は、家具の側壁部１１に固定される。シリンダ４０は、取り出しばね４２がその上に設けられるピストンロッド４１を有し、このピストンロッド４１は、引き出しガイド１４の可動部１４”に適用されるストライカ要素４３と相互に作用するように適合され構成される。相互作用は、引き出しの閉鎖位置近傍における引き出し１３の移動の張引から開始する。
【００３９】
引き出しガイド１４の固定部１４’に適用される摺動軌跡４５に沿って摺動可能な第１のスライダ４４を含む、引き出しを閉鎖するための手段がさらに設けられる。スライダ４４は、取り出しばね４２によって開放方向に発揮される力より大きな力により引き出しの閉鎖方向に作動するばね４６によって付勢される。スライダ４４および摺動軌跡４５は好適に適合し、これにより、引き出し用引き出しガイド１４の可動部１４”に堅固に拘束される第１の駆動ピン４７および第２の駆動ピン４８と係合または解放可能なスライダ４４を選択的に移動できる。
【００４０】
特に、スライダ４４は、第１のピン４７と係合する第１の開始位置と、スライダ４４が第１のピン４７から外れる、使用する者によって引き出しの前部が押された後に横断方向に移動される第２の位置と、第２のピン４８と係合する第３の位置との間を移動可能である。第１の位置において、閉鎖ばね４６は、引き出しを閉鎖した状態に保持する。第２の位置において、第１のピン４７からスライダ４４が外れると取り出しばね４２が引き出しを開放する。第３の位置において、閉鎖ばね４６は、使用する者の側において引き出しを手動で開放することにより再び負荷をかけられ、これにより開放ばね４２に勝る閉鎖ばね４６によって引き出しが自動的に再び閉鎖される。
【００４１】
この解決策において、引き出しの開放が限定されることにより閉鎖ばね４６が十分に再び負荷をかけられなかった場合に引き出しを適切に再び閉鎖できるように、補足的な装置４９が好適にさらに設けられてもよい。公知の実施形態において、この装置４９は、例えば第２の駆動ピン４８および第３の付加的な駆動ピン５１と係合することにより移動可能な第２のスライダ５０を備え、スライダ５０は、好適な形状に形成されたロック軌跡５３に選択的に係合可能なフック手段５２を有する。
【００４２】
閉鎖手段に作動的に関連付けられる取り出し手段を提供するこの解決策は、公知のタイプのものであり、ここに詳細を開示することは差し控える。本発明の課題において、その作動は、上述した取り出し装置の作動に代わることものといえる。最後に、本発明による家具における可能な改善は、回転および摺動のうちの少なくともいずれか一方が可能な載置要素を提供することにある。載置要素は、例えば、ホイール５４の形態にあり、ホイール５４は、小板５５に回動可能に支持され、引き出し１３の後方側面領域に固定可能であり、且つ取り出し手段１６が配置される、家具の側壁部１１の面との接触を保持するように適合され構成される載置面を有する。これにより、家具の一方の側のみにおける取り出し手段１６の存在による第１の開放ストローク時における引き出し１３の任意に生じ得る誤配置をさらに制限することができる。
【００４３】
上記から明らかなように、本発明による取り出し手段および保持手段の好適な構造体および構成によって、構成が単純且つ経済的であり、容易に取り付け可能な解決策により、引き出しの部分的または不完全な開放が防止される。本発明による引き出しを備えた家具は、いずれの場合においても本発明概念の範囲内にある変形および変更に影響を受け、さらに、構造体の詳細が技術的に均等物と代替可能である。
【図１】
2015527126.tif 000003
【図２】
2015527126.tif 000004
【図３】
2015527126.tif 000005
【図４】
2015527126.tif 000006
【図５】
2015527126.tif 000007
【図６】
2015527126.tif 000008
【図７】
2015527126.tif 000009
【図８】
2015527126.tif 000010
【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
家具（１０）の本体から引き出し可能な少なくとも１つの引き出し（１３）を含む家具であって、同家具（１０）は、
前記引き出し（１３）に対して横断方向に配置されるとともにそれぞれ前記引き出し（１３）に対して第１および第２の引き出しガイド（１４，１５）を備える第１および第２の壁部（１１，１２）と、
前記引き出し（１３）を開放方向に押し出すように適合および構成される取り出し手段（１６；４２）と、
前記引き出し（１３）の閉鎖位置において前記取り出し手段（１６；４２）をロックするための解放可能なロック手段（２１，２２；４４，４６）と、を備え、
対応する前記ロック手段（２１，２２；４４，４６）を備えた前記取り出し手段（１６；４２）は、前記引き出し（１３）に対して横断方向に配置される前記家具（１０）の前記壁部（１１，１２）のうちの一方（１１）にのみ設けられ、
前記引き出し（１３）に対して横断方向に配置される前記家具（１０）の両壁部（１１，１２）のうちの他方（１２）には保持手段（１７；３４）が設けられ、該保持手段（１７；３４）は、前記引き出し（１３）を前記閉鎖位置に保持するように適合および構成されることを特徴とする家具（１０）。
【請求項２】
前記対応するロック手段（２１，２２；４４，４６）を備えた前記取り出し手段（１６；４２）は、同手段（１６）が配置される前記家具（１０）の前記壁部（１１）に設けられる引き出しガイド（１４）に適用されることを特徴とする請求項１に記載の家具（１０）。
【請求項３】
前記対応するロック手段（２１，２２；４４，４６）を備えた前記取り出し手段（１６；４２）は、前記家具（１０）の前記壁部（１１）に、あるいは前記引き出し（１３）の第１の側壁部に直接適用されることを特徴とする請求項１または２に記載の家具（１０）。
【請求項４】
前記保持手段（１７；３４）は、前記引き出し（１３）に対して横断方向に配置される前記家具（１０）の前記他方の壁部（１２）に設けられる引き出しガイド（１５）に適用されることを特徴とする請求項１乃至３のうちのいずれか一項に記載の家具（１０）。
【請求項５】
前記保持手段（１７；３４）は、前記引き出し（１３）に対して横断方向に配置される前記家具（１０）の前記他方の壁部（１２）に、あるいは前記引き出し（１３）の第２の側壁部に直接適用されることを特徴とする請求項１乃至３のうちのいずれか一項に記載の家具（１０）。
【請求項６】
前記保持手段（１７；３４）は、前記取り出し手段（１６）が発揮する開放方向における前記押し出しの力より小さい前記閉鎖方向の保持作用を生ずるように構成されることを特徴とする請求項１乃至５のうちのいずれか一項に記載の家具（１０）。
【請求項７】
前記保持手段（１７；３４）は、前記取り出し手段（１６；４２）が作動するストロークより短いストロークのために前記保持作用を生ずるように構成されることを特徴とする請求項６に記載の家具（１０）。
【請求項８】
前記取り出し手段（１６；４２）の前記ロック手段（２１，２２；４４，４６）は、前記引き出し（１３）を前記閉鎖方向に押し出すことによって解放可能であることを特徴とする請求項１乃至７のうちのいずれか一項に記載の家具（１０）。
【請求項９】
前記取り出し手段（１６）は、基部本体（１９）に沿って直線的に移動可能なスライダ（１８）と、同スライダ（１８）によって負荷をかけることが可能な少なくとも１つの押し出しばね（２０）と、を備えることを特徴とする請求項１乃至８のうちのいずれか一項に記載の家具（１０）。
【請求項１０】
前記ロック手段（２１，２２）は、前記取り出し手段（１６）の前記スライダ（１８）によって移動可能に支持されるフック部材（２１）を備え、同フック部材（２１）は、前記取り出し手段（１６）の基部本体（１９）に設けられるハート形の通路（２２）において係合可能であることを特徴とする請求項９に記載の家具（１０）。
【請求項１１】
前記保持手段（１７）は、前記引き出し（１３）の前記閉鎖方向に作用する張引ばね（２４）によって付勢される傾斜可能なスライダ（２３）を備え、同スライダ（２３）は、前記引き出し（１３）の前記閉鎖位置において前記引き出し（１３）に作動的に連結可能であることを特徴とする請求項１乃至１０のうちのいずれか一項に記載の家具（１０）。
【請求項１２】
前記保持手段（３４）は、磁気保持手段（３５，３６）を備えることを特徴とする請求項１乃至１０のうちのいずれか一項に記載の家具（１０）。
【請求項１３】
前記磁気手段（３５）は、前記引き出し（１３）の開放方向に弾性的に湾曲可能に支持されることを特徴とする請求項１２に記載の家具（１０）。
【請求項１４】
前記引き出し（１３）用の距離保持止め具（３２）をさらに備え、同止め具（３２）は、前記引き出し（１３）の前記閉鎖位置によって前記家具の本体から予め設定された距離だけ前記引き出し（１３）を保持するように、前記保持手段（１７）の側に適合され配置されることを特徴とする請求項１１乃至１３のうちのいずれか一項に記載の家具（１０）。
【請求項１５】
前記取り出し手段（４２）は、前記解放可能なロック手段をさらに形成する前記引き出し用の閉鎖手段（４４，４６）に作動的に関連付けられ、前記取り出し手段（４２）および前記閉鎖手段（４４，４６）は、前記引き出し（１３）の前記閉鎖位置から開始する前記開放方向の押し出し、および前記引き出し（１３）を閉鎖する移動の最後の張引時に閉鎖方向の押し出しをそれぞれ生じさせるように選択的に負荷をかけることができるとともに活性化可能であることを特徴とする請求項１乃至８および請求項１１乃至１４のうちのいずれか一項に記載の家具（１０）。
【請求項１６】
回転および摺動のうちの少なくともいずれか一方が可能な少なくとも１つの載置要素（５４）が設けられ、同載置要素（５４）は前記引き出し（１３）の後方側面領域に固定可能であり、該載置要素（５４）は前記取り出し手段（１６；４２）が配置される前記家具の前記側壁部（１１）の面との接触を保持するように適合され構成される載置面を有することを特徴とする請求項１乃至１５のうちのいずれか一項に記載の家具（１０）。
【手続補正２】
【補正対象書類名】明細書
【補正対象項目名】０００８
【補正方法】変更
【補正の内容】
【０００８】
上記課題は、１つの家具の本体から引き出し可能な少なくとも１つの引き出し等を含む家具であって、引き出しに対して横断方向に配置されるとともにそれぞれ引き出しに対して第１および第２の引き出しガイドを備える第１および第２の壁部と、引き出しを開放方向に押し出すように適合および構成される取り出し手段とを備える家具によって解決される。取り出し手段は、引き出しの閉鎖位置において解放可能なロック手段にロックされる。対応するロック手段を備えた取り出し手段は、引き出しに対して横断方向に配置される両壁部のうちの一方にのみ設けられる。
好ましくは、保持手段が引き出しに対して横断方向に配置される両壁部のうちの他方に設けられ、この保持手段は、引き出しを閉鎖位置に保持するように適合および構成される。
【手続補正３】
【補正対象書類名】明細書
【補正対象項目名】０００９
【補正方法】削除
【補正の内容】
【国際調査報告】
2015527126.tif 000011
2015527126.tif 000012